(57)【特許請求の範囲】
【請求項１】
浴槽内に設置し且つ空気を充填したときには浴槽内の所定の高さまで膨張するエアーチューブからなり、該エアーチューブには、入浴者の載置手段が設けられていると共に、空気を注入・排出できる栓部が設けられている介護用入浴補助具において、前記載置手段には、浴槽の蓋体が出し入れ自在に収納されていることを特徴とする介護用入浴補助具。
【請求項２】
前記エアーチューブは、ゴム材又は合成樹脂材で形成されていることを特徴とする請求項１に記載の介護用入浴補助具。
【発明の詳細な説明】
【０００１】
【発明の属する技術分野】
本発明は、介護用入浴補助具に関するものであり、更に詳しくは、一人では入浴することができない身体障害者や高齢者、或いは病人などが入浴するに際して、浴槽の中に設置して使用し、介助者の負担を軽減することのできる介護用入浴補助具に関するものである。
【０００２】
【従来の技術】
従来、身体障害者などが入浴するときに使用する装置としては、例えば、所要の大きさの浴槽と、この浴槽の大きさに対応して作られたハンモックと、このハンモックを吊り下げて適宜に移動できる簡易型のクレーンとを備えた入浴装置が知られている。
【０００３】
この従来例の入浴装置を使用する場合には、まず浴槽の中にお湯を入れてから、入浴者を前記ハンモックに乗せたあとに、前記クレーンを操作して浴槽内に吊り入れている。
【０００４】
また、クレーンやハンモックなどの入浴装置を使用しない場合には、数人の介助者により入浴者を抱え入れながら入浴をしている。
【０００５】
【発明が解決しようとする課題】
この従来例の入浴装置においては、簡易型のクレーンを室内に設置したりハンモックを準備するなどの如く大掛かりな設備を必要とするものであり、その設置にかなり広いスペースが必要であるという欠点がある。
また、その設置にかかる費用も多大なものであり、誰もが簡単に購入できるものではない。
【０００６】
そして、クレーンやハンモックなどの入浴装置を使用せずに、介助者によって入浴をする場合には入浴者を抱えながら浴槽の中に入れるので、介助者の負担もかなり大きいものであるという問題点がある。
【０００７】
従って、従来例における場合においては、入浴装置を大掛かりにせず、費用も低廉な価格に設定できること、或いは、入浴に際して介助者の負担を軽減することに解決しなければならない課題を有している。
【０００８】
【課題を解決するための手段】
前記従来例の課題を解決する具体的手段として本発明は、浴槽内に設置し且つ空気を充填したときには浴槽内の所定の高さまで膨張するエアーチューブからなり、該エアーチューブには、入浴者の載置手段が設けられていると共に、空気を注入・排出できる栓部が設けられている介護用入浴補助具において、前記載置手段には、浴槽の蓋体が出し入れ自在に収納されていることを特徴とする介護用入浴補助具を提供するものである。
【０００９】
また、前記エアーチューブは、ゴム材又は合成樹脂材で形成されている構成としたものである。
【００１０】
本発明に係る介護用入浴補助具においては、身体障害者などの入浴者を載置手段に乗せてから、エアーチューブの空気を徐々に抜いていけば入浴者を少しずつ浴槽の中に入れることができる。また、エアーチューブに空気を充填して膨張させれば、入浴者を上にあげることができる。従って、介助者による抱え入れが必要なく介助者の負担を軽減することができる。
更に、従来例のものに比べて構造が簡単であり安全で且つ安価に製造でき、設置や取り外しも簡単にできる。
更にまた、載置手段には、浴槽の蓋体が出し入れ自在に収納されていることによって、介護用入浴補助具を浴槽内に設置した状態で浴槽の蓋体を閉めることができる。
【００１１】
【発明の実施の形態】
次に、本発明の実施の形態について図面を参照しながら説明する。まず、図１から図４に示した第１実施例において、符号１は介護用入浴補助具を示し、この介護用入浴補助具１は、浴槽２内に設置し且つ空気を充填したときには浴槽２内の所定の高さまで膨張するエアーチューブ３と、このエアーチューブ３に空気を注入又は排出をするための栓部４とから構成される。
【００１２】
エアーチューブ３は、ゴム材又は合成樹脂材で形成されており、平面が四角形状或いは円形状を呈し、側面及び正面が蛇腹状を呈しており、上下方向に膨張又は収縮が自在に形成されている。
【００１３】
また、エアーチューブ３の上部は、図４に示すようにやや窪んだ状態で形成されており、この窪んだ位置が入浴者を載置する載置部（載置手段）５の役目を果たしている。
【００１４】
栓部４は、エアーチューブ３の適宜位置に設けられており、この栓部４には、チューブ６が接続され、チューブ６は図示しないエアーポンプなどに接続されている。
【００１５】
次に、介護用入浴補助具１の使用方法について説明する。まず、図１に示すように浴槽２内に介護用入浴補助具１を設置しておき、栓部４から空気を充填して浴槽２内の所定の高さまで膨張させておく。
【００１６】
そして、載置部５に入浴者７を座らせてから、エアーチューブ３の空気を徐々に抜いていけば、図２に示すように入浴者を少しずつ浴槽２の中に入れることができるのである。
【００１７】
また、入浴が終了した場合には、前記のエアーポンプなどを用いてエアーチューブ３の中に空気を注入して膨張させれば、入浴者を徐々に上にあげることができる。
【００１８】
次に、図５から図８に本発明の第２実施例に係る介護用入浴補助具８を示す。この第２実施例において、前記第１実施例と同一部分には同一符号を付してその詳細は省略する。
【００１９】
この介護用入浴補助具８は、前記第１実施例の場合と同様に、浴槽２内に設置し且つ空気を充填したときには浴槽２内の所定の高さまで膨張するエアーチューブ９と、このエアーチューブ９に空気を注入又は排出をするための栓部４とから構成される。
【００２０】
エアーチューブ９は、ゴム材又は合成樹脂材で形成されており、平面が四角形状或いは円形状を呈し、側面及び正面が蛇腹状を呈している。
また、蛇腹の間隔は、前方側９ａの方が後方側９ｂよりも大きく形成されており、即ち、膨張及び収縮の間隔が前方側９ａの方が後方側９ｂよりも大きくなるように形成されている。
【００２１】
また、エアーチューブ９の上部には、マット状の載置台（載置手段）１０が取り付けられており、この載置台１０には、上方に延設した腰掛け部１１が形成されている。
【００２２】
そして、載置台１０には、浴槽２の縁部に係止して固定することのできる係止部材１２がヒンジ部１３を介して設けられている。
従って、係止部材１２を浴槽２から取り外すことにより介護用入浴補助具８の取り外しができる。
また、ヒンジ１３を中心にして載置台１０を回転させれば、載置台１０の腰掛け部１１側を上にあげたり（図８参照）、下にさげたり（図７参照）することができる。
【００２３】
更に、載置台１０には、浴槽２の蓋体１４が出し入れ自在に収納されている。従って、介護用入浴補助具８を浴槽２内に設置した状態で浴槽２の蓋体１４を閉めることができる（図５参照）。
【００２４】
次に、介護用入浴補助具８の使用方法について説明する。まず、図６に示すように浴槽２内に介護用入浴補助具８を設置しておき、栓部４から空気を充填して浴槽２の所定の高さまで膨張させておく。
【００２５】
そして、載置台１０に入浴者７を寝かせてから、エアーチューブ９の空気を徐々に抜いていけば、前述のように前方側９ａの方が大きく収縮し、また載置台１０はヒンジ部１３を中心にして移動することから、図７に示すように入浴者７を浴槽２の中に腰掛けた状態で入れることができるのである。
【００２６】
また、入浴が終了した場合には、エアーポンプなどを用いてエアーチューブ９中に空気を注入して膨張させれば、入浴者を徐々に上にあげることができる。
【００２７】
以上のように構成された介護用入浴補助具１、８は、入浴者７を載置手段（載置部５、載置台１０）に上に乗せてから、エアーチューブ３、９の空気を徐々に抜いていけば入浴者７を少しずつ浴槽２の中に入れることができるので、介助者による抱え入れが必要なく介助者の負担を軽減することができる。
また、構造が比較的簡単であり安全で且つ安価に製造でき、係止部１２を浴槽２の縁部から外せば介護用入浴補助具８の取り外しも簡単にできる。
【００２８】
【発明の効果】
以上説明したように本発明に係る介護用入浴補助具は、浴槽内に設置し且つ空気を充填したときには浴槽内の所定の高さまで膨張するエアーチューブからなり、該エアーチューブには、入浴者の載置手段が設けられていると共に、空気を注入・排出できる栓部が設けられている介護用入浴補助具において、前記載置手段には、浴槽の蓋体が出し入れ自在に収納されていることによって、身体障害者などの入浴者を載置手段に乗せてから、エアーチューブの空気を徐々に抜いていけば入浴者を少しずつ浴槽の中に入れることができる。また、エアーチューブに空気を充填して膨張させれば、入浴者を上にあげることができる。従って、介助者による抱え入れが必要なく介助者の負担を軽減することができる。
そして、構造が比較的簡単であり安全で且つ安価に製造でき、設置や取り外しも簡単にできる。
更に、載置手段には、浴槽の蓋体が出し入れ自在に収納されていることによって、介護用入浴補助具を浴槽内に設置した状態で浴槽の蓋体を閉めることができるという種々の優れた効果を奏する。
【００３２】
そして、エアーチューブは、ゴム材又は合成樹脂材で形成されていることによって、空気を注入又は排出をすることによりエアーチューブの膨張又は収縮が自在である。
また、空気を排出したときにはエアーチューブを収縮させてコンパクトにすることもできるので、収納や持ち運びにも便利であるという種々の優れた効果を奏する。
【図面の簡単な説明】
【図１】本発明の第１実施例に係る介護用入浴補助具を浴槽内に設置して膨張させ、入浴者を乗せた状態を示す側面図である。
【図２】本発明の第１実施例に係る介護用入浴補助具に入浴者を乗せて、且つ収縮させた状態を示す側面図である。
【図３】本発明の第１実施例に係る介護用入浴補助具を膨張させて浴槽内に載置した状態を示す平面図である。
【図４】図３のＡ−Ａ線断面図である。
【図５】本発明の第２実施例に係る介護用入浴補助具を浴槽内に設置して膨張させ、且つ載置台から蓋体を引き出した状態を示す側面図である。
【図６】本発明の第２実施例に係る介護用入浴補助具を浴槽内に設置して膨張させ、入浴者を乗せた状態を示す側面図である。
【図７】本発明の第２実施例に係る介護用入浴補助具に入浴者を乗せて、且つ収縮させた状態を示す側面図である。
【図８】本発明の第２実施例に係る介護用入浴補助具を収縮させて、且つ載置台を上にあげた状態を示す側面図である。
【符号の説明】
１    介護用入浴補助具
２    浴槽
３    エアーチューブ
４    栓部
５    載置部（載置手段）
６    チューブ
７    入浴者
８    介護用入浴補助具
９    エアーチューブ
９ａ  前方側
９ｂ  後方側
１０  載置台（載置手段）
１１  腰掛け部
１２  係止部材
１３  ヒンジ部
１４  蓋体
【図１】
0003589894.tif 000002
【図２】
0003589894.tif 000003
【図３】
0003589894.tif 000004
【図４】
0003589894.tif 000005
【図５】
0003589894.tif 000006
【図６】
0003589894.tif 000007
【図７】
0003589894.tif 000008
【図８】
0003589894.tif 000009